(57)【要約】【課題】プラズマ処理の条件や基板の種類、あるいは印加電圧や吸着時間に関わらずに残留吸着力を除去でき、かつ基板裏面の残留電荷を効率的に消滅させることができる静電吸着装置、残留吸着除去方法を提供する。【解決手段】  誘電体層２１に配置面２９と電極２２ａ、２２ｂとの間を貫通する貫通孔２４を設けて、電極２２ａ、２２ｂの表面の一部を貫通孔２４の内側に露出させておき、電極２２ａ、２２ｂへの電圧印加を停止した後、貫通孔２４内に不活性ガスを導入して、貫通孔２４内の圧力を増加させる。貫通孔２４内にプラズマが発生すると、基板４０の裏面と電極２２ａ、２２ｂの表面とが電気的に短絡されて、基板４０の裏面の残留電荷が放電され、残留吸着力が除去される。【選択図】図１
2014041919.tif 000002
【特許請求の範囲】
【請求項１】
基板が配置される配置面を有する誘電体層と、
前記誘電体層の内部に配置された電極と、
を有し、
前記電極に電圧が印加されると、前記配置面に配置された前記基板は前記配置面に吸着される静電吸着装置であって、
前記誘電体層には、
前記配置面と前記電極との間を貫通する貫通孔と、
一端が前記貫通孔に接続され、他端が前記誘電体層の前記配置面以外の部分に露出するガス導入孔と、
が設けられ、
前記電極の表面の一部は前記貫通孔の内側に露出された静電吸着装置。
【請求項２】
前記電極を複数個有し、
各前記電極の表面の一部はそれぞれ異なる前記貫通孔の内側に露出された請求項１記載の静電吸着装置。
【請求項３】
前記誘電体層の前記配置面のうち前記貫通孔の外側には冷却ガスが導入される凹部が設けられ、
前記凹部の内部空間は前記貫通孔の内部空間とは分離された請求項１又は請求項２のいずれか１項記載の静電吸着装置。
【請求項４】
誘電体層の配置面に基板を配置し、前記誘電体層の内部に配置された電極に電圧を印加して、前記基板を前記配置面に吸着させた後、前記電極への電圧印加を停止し、前記基板に残留する残留吸着力を除去する残留吸着除去方法であって、
前記誘電体層に前記配置面と前記電極との間を貫通する貫通孔を設けて、前記電極の表面の一部を前記貫通孔の内側に露出させておき、
前記電極への電圧印加を停止した後、前記貫通孔内に不活性ガスを導入して、前記貫通孔内の圧力を増加させる残留吸着除去方法。
【請求項５】
前記貫通孔内に不活性ガスを導入した後、前記残留吸着力を測定し、測定結果が基準値以上の場合には、前記電極に電圧を印加して、前記貫通孔内に前記不活性ガスのプラズマを発生させる請求項４記載の残留吸着除去方法。
【請求項６】
前記基板を前記配置面に吸着させるときには、前記誘電体層の前記配置面のうち前記貫通孔の外側に設けられた凹部に冷却ガスを導入しておき、
前記貫通孔内に前記不活性ガスを導入するときには、前記貫通孔内の圧力を、前記基板を前記配置面に吸着させるときの前記凹部内の圧力より大きくする請求項４又は請求項５記載の残留吸着除去方法。
【発明の詳細な説明】
【技術分野】
【０００１】
本発明は、静電吸着装置、残留吸着除去方法に関する。
【背景技術】
【０００２】
現在、被保持物体である基板を静電吸着できるように構成された静電吸着装置において、吸着動作後に残留吸着力が残存することがよく知られている。この残留吸着力は、プラズマ処理の条件（プロセス条件）や基板の種類、あるいは吸着動作時の印加電圧や吸着時間により変動する。
【０００３】
従来の残留吸着除去方法には、電極に吸着動作時とは逆極性の電圧（逆電圧）を印加することで残留吸着力を低減させる方法があったが、最適条件以上の電荷を注入してしまうと、逆に帯電量が増えて、基板の離脱に影響を与えてしまうため、予め残留吸着の量をモニターし、それに応じた電荷量を注入する必要があり、プロセス条件や基板の種類によって最適条件を決定する手段が必要であった。
【０００４】
従って、実際は逆電圧を印加するだけでは残留吸着力を除去できず、基板の振動により搬送エラーが発生したり、基板割れが生じるという問題が起きていた。
また、基板表面にプラズマやイオン化ガスを照射することで、基板の電位を変化させて残留吸着力を除去する方法もあったが、静電チャック表面と基板裏面間の吸着界面の残留電荷を完全に取りきることはできなかった。
【先行技術文献】
【特許文献】
【０００５】
【特許文献１】特開平１１−３３０２１７号公報
【特許文献２】特開２００３−３０９１５６号公報
【発明の概要】
【発明が解決しようとする課題】
【０００６】
本発明は上記従来技術の不都合を解決するために創作されたものであり、その目的は、プラズマ処理の条件や基板の種類、あるいは印加電圧や吸着時間に関わらずに残留吸着力を除去でき、かつ基板裏面の残留電荷を効率的に消滅させることができる静電吸着装置、残留吸着除去方法を提供することにある。
【課題を解決するための手段】
【０００７】
上記課題を解決するために本発明は、基板が配置される配置面を有する誘電体層と、前記誘電体層の内部に配置された電極と、を有し、前記電極に電圧が印加されると、前記配置面に配置された前記基板は前記配置面に吸着される静電吸着装置であって、前記誘電体層には、前記配置面と前記電極との間を貫通する貫通孔と、一端が前記貫通孔に接続され、他端が前記誘電体層の前記配置面以外の部分に露出するガス導入孔と、が設けられ、前記電極の表面の一部は前記貫通孔の内側に露出された静電吸着装置である。
本発明は静電吸着装置であって、前記電極を複数個有し、各前記電極の表面の一部はそれぞれ異なる前記貫通孔の内側に露出された静電吸着装置である。
本発明は静電吸着装置であって、前記誘電体層の前記配置面のうち前記貫通孔の外側には冷却ガスが導入される凹部が設けられ、前記凹部の内部空間は前記貫通孔の内部空間とは分離された静電吸着装置である。
本発明は、誘電体層の配置面に基板を配置し、前記誘電体層の内部に配置された電極に電圧を印加して、前記基板を前記配置面に吸着させた後、前記電極への電圧印加を停止し、前記基板に残留する残留吸着力を除去する残留吸着除去方法であって、前記誘電体層に前記配置面と前記電極との間を貫通する貫通孔を設けて、前記電極の表面の一部を前記貫通孔の内側に露出させておき、前記電極への電圧印加を停止した後、前記貫通孔内に不活性ガスを導入して、前記貫通孔内の圧力を増加させる残留吸着除去方法である。
本発明は残留吸着除去方法であって、前記貫通孔内に不活性ガスを導入した後、前記残留吸着力を測定し、測定結果が基準値以上の場合には、前記電極に電圧を印加して、前記貫通孔内に前記不活性ガスのプラズマを発生させる残留吸着除去方法である。
本発明は残留吸着除去方法であって、前記基板を前記配置面に吸着させるときには、前記誘電体層の前記配置面のうち前記貫通孔の外側に設けられた凹部に冷却ガスを導入しておき、前記貫通孔内に前記不活性ガスを導入するときには、前記貫通孔内の圧力を、前記基板を前記配置面に吸着させるときの前記凹部内の圧力より大きくする残留吸着除去方法である。
【発明の効果】
【０００８】
貫通孔内にプラズマを発生させるので、プラズマを介して基板の裏面と電極の表面とが電気的に短絡し、残留吸着力が除去される。そのため、プラズマ処理の条件や基板の種類、あるいは印加電圧や吸着時間に応じて最適条件を決定する手段が不要になる。
基板の裏面と電極の表面とを電気的に短絡させるので、基板の裏面の残留電荷は電極の表面に向かって放電され、効率的に消滅される。
【図面の簡単な説明】
【０００９】
【図１】本発明の静電吸着装置を有する真空処理装置の内部構成図
【図２】本発明の静電吸着装置の模式的な平面図
【図３】不活性ガスのパッシェン曲線を示すグラフ
【図４】残留吸着除去工程を説明するためのフローチャート
【発明を実施するための形態】
【００１０】
＜静電吸着装置の構造＞
本発明の静電吸着装置の構造を説明する。図１は本発明の静電吸着装置２０を有する真空処理装置１０の内部構成図である。
真空処理装置１０は、真空槽１１を有しており、静電吸着装置２０は真空槽１１内に配置されている。真空槽１１は接地電位に置かれている。
静電吸着装置２０は、基板４０が配置される配置面２９を有する誘電体層２１と、誘電体層２１の内部に配置された電極２２ａ、２２ｂとを有している。
【００１１】
図２は配置面２９側から見たときの静電吸着装置２０の模式的な平面図である。
誘電体層２１はセラミックスからなり、例えばアルミナ（酸化アルミニウム）や窒化アルミニウムからなる。誘電体層２１の抵抗率は１００Ωｃｍ以上が好ましい。
【００１２】
本実施形態では、電極２２ａ、２２ｂは誘電体層２１の内部に２個配置されているが、本発明では電極２２ａ、２２ｂの数は２個に限定されず、１個又は３個以上でもよい。
各電極２２ａ、２２ｂは配置面２９と平行な同一平面内に互いに離間して配置されており、各電極２２ａ、２２ｂには電源１６がそれぞれ電気的に接続されている。
【００１３】
配置面２９に絶縁性の基板４０が配置され、電源１６から各電極２２ａ、２２ｂに互いに異なる電圧が印加されると、基板４０と誘電体層２１との間に静電吸着力が発生して、基板４０は配置面２９に吸着されるようになっている。
本発明の静電吸着装置２０では、誘電体層２１には、配置面２９と電極２２ａ、２２ｂとの間を貫通する貫通孔２４と、一端が貫通孔２４に接続され、他端が誘電体層２１の配置面以外の部分に露出するガス導入孔２５とが設けられている。
【００１４】
図１の図面上では配置面２９と符号２２ａの電極との間を貫通する貫通孔２４の図示が省略されている。
貫通孔２４の一端の開口は配置面２９に設けられ、他端の開口は電極２２ａ又は２２ｂの表面に設けられており、各電極２２ａ、２２ｂの表面の一部はそれぞれ異なる貫通孔２４の内側に露出されている。
【００１５】
配置面２９に設けられた貫通孔２４の密度は１ｃｍ2あたり１個以上が好ましい。また、貫通孔２４のアスペクト比（直径に対する深さの比）は０．１以上が好ましい。
本実施形態では、各貫通孔２４の内部空間は不図示の流路を介して互いに接続されており、ガス導入孔２５は一の貫通孔２４に接続されている。
【００１６】
ガス導入孔２５には不活性ガス導入部１８が接続されている。不活性ガス導入部１８からガス導入孔２５内に不活性ガスが導入されると、ガス導入孔２５内の不活性ガスは一の貫通孔２４内に流入した後、不図示の流路を通って他の各貫通孔２４内にそれぞれ流入し、各貫通孔２４内の圧力がそれぞれ増加するようになっている。
【００１７】
誘電体層２１の配置面２９のうち貫通孔２４の外側には凹部２７が設けられている。凹部２７の内部空間は各貫通孔２４の内部空間とは分離されている。
凹部２７の深さは貫通孔２４の深さより浅く、凹部２７の内側には誘電体層２１が露出され、電極２２ａ、２２ｂの表面は露出されていない。
【００１８】
凹部２７には流量計１４を介して冷却ガス導入部１７が接続されている。冷却ガス導入部１７から凹部２７内に冷却ガス（例えばＨｅガス）が導入されると、凹部２７内の冷却ガスは基板４０の裏面に接触して基板４０を冷却し、基板４０の裏面と配置面２９との間の隙間を通って外側に流出するようになっている。
【００１９】
基板４０と誘電体層２１との間の吸着力が大きいほど、基板４０の裏面と配置面２９との間の隙間が狭く、冷却ガスの流量は小さくなる。
流量計１４は冷却ガスの流量を測定できるように構成されている。
【００２０】
＜静電吸着装置の使用方法＞
本発明の静電吸着装置２０の使用方法を上述の真空処理装置１０を用いて説明する。
【００２１】
（準備工程）
真空槽１１には真空排気装置１２が接続されている。
真空排気装置１２を動作させて、真空槽１１内を真空排気し、真空雰囲気を形成する。静電吸着装置２０の凹部２７と貫通孔２４とガス導入孔２５の内側も真空排気されて真空雰囲気にされる。
以後、真空排気を継続して、真空槽１１内の真空雰囲気を維持する。
【００２２】
真空槽１１内の真空雰囲気を維持しながら、不図示の搬送ロボットを用いて、基板４０を真空槽１１内に搬入し、静電吸着装置２０の配置面２９に配置する。
基板４０は絶縁性基板であり、ここではサファイア基板である。
【００２３】
冷却ガス導入部１７から凹部２７内に冷却ガスを導入し、基板４０を冷却する。凹部２７内の冷却ガスは基板４０の裏面と配置面２９との間の隙間を通って真空槽１１の内部空間に流出した後、真空排気装置１２により真空排気される。
以後、冷却ガス導入部１７から凹部２７内への冷却ガスの導入を継続する。
【００２４】
（プラズマ処理工程）
電源１６から電極２２ａ、２２ｂに互いに異なる電圧を印加して、電極２２ａ、２２ｂ間に電位差を形成し、基板４０と誘電体層２１との間に吸着力を発生させて、基板４０を配置面２９に吸着させる。
【００２５】
凹部２７内の冷却ガスの圧力は低く、冷却ガスの一部は基板４０の裏面と配置面２９との隙間を通って貫通孔２４内に流入するものの、貫通孔２４内の圧力も低い。圧力が充分でないため、電極２２ａ、２２ｂに電圧が印加されても貫通孔２４内に放電は生じない。
基板４０が配置面２９に吸着されると、基板４０の裏面と配置面２９との間の隙間が狭くなり、冷却ガスの流量は減少する。
【００２６】
真空槽１１には処理ガス導入部１３が接続されている。処理ガス導入部１３から真空槽１１内に処理ガスを導入し、不図示のプラズマ発生部を動作させて、真空槽１１内の処理ガスをプラズマ化し、基板４０の表面をプラズマ処理する。
プラズマ処理を終えた後、プラズマ発生部の動作を停止し、処理ガス導入部１３から真空槽１１内への処理ガスの導入を停止する。
【００２７】
（残留吸着除去工程）
図４は残留吸着除去工程を説明するためのフローチャートである。
まず、電極２２ａ、２２ｂへの電圧印加を停止する（ステップＳ1）。ここでは各電極２２ａ、２２ｂを接地電位に置く。
【００２８】
基板４０の裏面と配置面２９との間の界面には残留電荷が残り、基板４０と誘電体層２１との間に吸着力が残留する。残留吸着力が大きいほど、基板４０の裏面と配置面２９との間の隙間は狭く、冷却ガスの流量は小さい。
残留吸着力を測定して、測定結果を基準値として記憶しておく。本実施形態では、流量計１４で冷却ガスの流量を測定して、測定結果を基準流量として記憶しておく。
【００２９】
不活性ガス導入部１８から各貫通孔２４内に不活性ガスを導入し、各貫通孔２４内の圧力をそれぞれ増加させる（ステップＳ2）。ここでは貫通孔２４内の圧力を、基板４０を配置面２９に吸着させるときの凹部２７内の圧力より大きくする。
不活性ガスはここではＡｒガスであるが、Ａｒガスに限定されず、ＨｅガスやＮ2ガスでもよい。
【００３０】
図３は不活性ガスのパッシェン曲線を示している。基板４０と電極２２ａ、２２ｂとの間で放電が生じる電圧Ｖｓは、基板４０の裏面と電極２２ａ、２２ｂの表面との間の距離ｄと、貫通孔２４内のガスの圧力Ｐとの積Ｐｄによって決定される。
【００３１】
基板４０と電極２２ａ、２２ｂとの間の電位差が、パッシェン曲線の極小値である最小放電電圧より大きい場合には、貫通孔２４内の圧力を増加させると、貫通孔２４内に不活性ガスのプラズマが生成される。
【００３２】
基板４０の裏面の一部と各電極２２ａ、２２ｂの表面の一部とは貫通孔２４内に露出されており、プラズマを介して基板４０の裏面と各電極２２ａ、２２ｂの表面とがそれぞれ電気的に短絡され、基板４０の裏面の残留電荷は各電極２２ａ、２２ｂに向かって放電される。そのため、基板４０と誘電体層２１との間の残留吸着力は除去される。
【００３３】
一方、基板４０と電極２２ａ、２２ｂとの間の電位差が最小放電電圧以下の場合には、貫通孔２４内の圧力を増加させても、貫通孔２４内に不活性ガスのプラズマは生成されず、残留吸着力は維持される。
【００３４】
貫通孔２４内に不活性ガスを導入した後、残留吸着力を測定して、測定結果を予め記憶しておいた基準値と比較する（ステップＳ3）。本実施形態では、流量計１４で冷却ガスの流量を測定して、測定結果を予め記憶しておいた基準流量と比較する。
【００３５】
残留吸着力の測定結果が基準値より低い場合、すなわち冷却ガスの流量の測定結果が基準流量より大きい場合には、基板４０と誘電体層２１との間の残留吸着力が解消されたと判断する。
【００３６】
一方、残留吸着力の測定結果が基準値以上の場合、すなわち冷却ガスの流量の測定結果が基準流量以下の場合には、基板４０と誘電体層２１との間の吸着力が維持されていると判断し、電源１６から電極２２ａ、２２ｂに互いに異なる電圧を印加して、電極２２ａ、２２ｂ間にプラズマ処理工程と同じ極性の電位差を形成し、貫通孔２４内に不活性ガスのプラズマを生成する（ステップＳ4）。
【００３７】
プラズマを介して基板４０の裏面と各電極２２ａ、２２ｂの表面とがそれぞれ電気的に短絡され、基板４０の裏面の残留電荷は放電され、基板４０と誘電体層２１との間の残留吸着力は除去される。電源１６から電極２２ａ、２２ｂへの電圧印加を停止する。
不図示のリフトピンを基板４０の裏面に押し当て、基板４０を配置面２９から離間させる（ステップＳ5）。
【００３８】
基板４０と誘電体層２１との間の残留吸着力は除去されており、リフトピンを基板４０の裏面に押し当てても、基板４０に振動や割れが生じるおそれがなく、基板４０は配置面２９からスムーズに離間される。
基板４０を配置面２９から離間させた後、不図示の搬送ロボットを用いて、真空槽１１内の真空雰囲気を維持しながら基板４０を真空槽１１の外側に搬出する。
【００３９】
なお、上述の説明では、冷却ガスの流量から残留吸着力を測定したが、他の測定可能な物理量（例えば基板４０の帯電量）から残留吸着力を測定してもよい。
また、上述の説明では、貫通孔２４内に不活性ガスを導入する前に残留吸着力を測定して測定結果を基準値としたが、予め試験やシミュレーションにより基準値を定めておき、貫通孔２４内に不活性ガスを導入する前の残留吸着力の測定を省略してもよい。
【実施例】
【００４０】
上述の真空処理装置１０を用いて、静電吸着装置２０の配置面２９に基板４０を配置した後、一方の電極２２ａに＋３００Ｖの直流電圧を印加し、他方の電極２２ｂに−３００Ｖの直流電圧を印加して、基板４０を配置面２９に吸着させた。
凹部２７内にＨｅガスの導入を開始して、Ｈｅガスの流量を測定すると２．３ｓｃｃｍであった。
【００４１】
基板４０の表面をプラズマ処理した後、電極２２ａ、２２ｂへの電圧印加を停止し、Ｈｅガスの流量を測定すると２．３ｓｃｃｍを維持しており、残留吸着力が継続していると判断した。
【００４２】
次いで、貫通孔２４内にＡｒガスを導入した。
電極２２ａ、２２ｂの表面と基板４０の裏面との間の距離は０．５ｍｍであり、貫通孔２４内のＡｒガスの圧力を５００Ｐａにし、電極２２ａ、２２ｂに吸着時と同じ極性の３００Ｖの直流電圧を印加して、貫通孔２４内に放電を発生させた。
【００４３】
放電を発生させた後、Ｈｅガスの流量を測定すると２８ｓｃｃｍであり、Ａｒガス導入前よりＨｅガスの流量が増加しており、基板４０と誘電体層２１との間の残留吸着力が除去されたことが分かった。
【符号の説明】
【００４４】
２０……静電吸着装置
２１……誘電体層
２２ａ、２２ｂ……電極
２４……貫通孔
２５……ガス導入孔
２７……凹部
２９……配置面
４０……基板 
【図１】
2014041919.tif 000003
【図２】
2014041919.tif 000004
【図３】
2014041919.tif 000005
【図４】
2014041919.tif 000006